(57)【要約】【解決手段】  折り曲げ部３で互いに開閉可能に連結された一対の表板２と、その表板２間に設けられた複数の隔壁７と当該隔壁７の両側縁を連結するマチ８とを有するカード収容部６と、当該カード収容部６における最外の隔壁７の外側面と前記表板２の内側面とを連結する連結部材１０と、少なくともその一部が前記折り曲げ部３の内面に若干の間隔をおいて沿い且つその両端部が前記表板２の内側面に止着された押し上げ部材１１とよりなる。【効果】  カード９は隔壁７間に深く収容されて容易に脱落することがないと共に、表板２を開くことによりカード９の上部が隔壁７の上端から大きく突出し、カード９の選別及び取り出しが容易である。【選択図】          図１
2009118866.tif 000002
【特許請求の範囲】
【請求項１】
折り曲げ部（３）で互いに開閉可能に連結された一対の表板（２）と、その表板（２）間に設けられた複数の隔壁（７）と当該隔壁（７）の両側縁を連結するマチ（８）とを有するカード収容部（６）と、当該カード収容部（６）における最外の隔壁（７）の外側面と前記表板（２）の内側面とを連結する連結部材（１０）と、少なくともその一部が前記折り曲げ部（３）の内面に若干の間隔をおいて沿い且つその両端部が前記表板（２）の内側面に止着された押し上げ部材（１１）とよりなることを特徴とする、カードケース
【請求項２】
前記連結部材（１０）が、前記表板（２）の内側面に対して折り曲げ部（３）に近い位置で止着され、最外の隔壁（７）の外側面に対して折り曲げ部（３）から遠い位置で止着されていることを特徴とする、請求項１に記載のカードケース
【発明の詳細な説明】
【技術分野】
【０００１】
本発明は、クレジットカード、キャッシュカード、乗車券、定期券、名刺などのカード類を収容して携帯するためのカードケースに関するものである。
【背景技術】
【０００２】
一般に広く使用されているカードケースは、例えば特開２００４−１１３７５０号公報に示されているように、複数のシートを少しずつずらして重ね合わせ、その両側縁を縫合したものが多く用いられている。
【０００３】
しかしながらかかるカードケースでは、そのシートの間に挟みこんだカードの出し入れが容易ではなく、また個々のカードはその上端のほんの僅かしか露出していないので、収納した状態でのカードの識別が困難である。
【０００４】
また他の構造として、特開２００５−２９６５９１号公報に示されるように、折り畳み部において開閉可能の表板の間に複数の収納室を設けた蛇腹状の収納部を設けたものが知られている。
【０００５】
しかしながらこの構造においては、カードの出し入れが容易ではあるものの、カードを収納室に深く挿入するものでは隔壁に妨げられてカードの識別が困難であると共に、カードの挿入深さを浅くすれば収納室から脱落しやすいものとなる。
【特許文献１】特開２００４−１１３７５０号公報
【特許文献２】特開２００５−２９６５９１号公報
【発明の開示】
【発明が解決しようとする課題】
【０００６】
本発明はかかる事情に鑑みなされたものであって、カードをカード収容部に深く挿入して脱落しにくいものとすると共に、表板を開いたときにはカードが収容部から大きく突出し、カードの識別が容易であると共に、収容部への出し入れを容易にすることを目的とするものである。
【課題を解決するための手段】
【０００７】
而して本発明のカードケースは、折り曲げ部で互いに開閉可能に連結された一対の表板と、その表板間に設けられた複数の隔壁と当該隔壁の両側縁を連結するマチとを有するカード収容部と、当該カード収容部における最外の隔壁の外側面と前記表板の内側面とを連結する連結部材と、少なくともその一部が前記折り曲げ部の内面に若干の間隔をおいて沿い且つその両端部が前記表板の内側面に止着された押し上げ部材とよりなることを特徴とするものである。
【０００８】
本発明においては、前記連結部材が、前記表板の内側面に対して折り曲げ部に近い位置で止着され、最外の隔壁の外側面に対して折り曲げ部から遠い位置で止着されていることが好ましい。
【発明の効果】
【０００９】
本発明によれば、表板を開くことにより連結部材を介してカード収容部が開き、連結部材によりカード収容部が折り曲げ部に向かって引き下げられると共に、表板が開くことにより押し上げ部材がカードの下部を押し上げる。
【００１０】
これによりカードはカード収容部の上端から大きく突出し、カードの上部の記載からその種類や内容を読み取って識別し易いと共に、カード収容部から突出したところを抓むことによりカードを容易に取出すことができる。
【発明を実施するための最良の形態】
【００１１】
以下本発明を図面に基づいて説明する。図面は本発明のカードケース１を示すものであって、２は当該カードケース１の表板であり、一対の表板２が折り曲げ部３において開閉可能に連結され、二つ折りに折り畳み可能となっている。また一方の表板２の先端部は延長されて折り返されて蓋部４を形成し、他方の表板２に対してホック５で閉じるようになっている。
【００１２】
図面の例においては表板２と折り曲げ部３とは一枚の板状の部材で連続して形成しているが、これを別部材とすることもできる。また折り曲げ部３は、図面に示すような折り曲げ可能の板状の部材ではなく、二枚の表板２をヒンジ機構などにより開閉可能となるように連結したものであっても良い。
【００１３】
この折り畳まれた表板２の間にはカード収容部６が設けられている。当該カード収容部６は、複数の隔壁７と、当該隔壁７の両側端を互いに連結するマチ８とを有し、隔壁７間にカード９を収容するようになっている。マチ８は蛇腹状に折り畳まれ、カード収容部６全体が伸縮し、隔壁７の間隔が大小に変化し得るようになっている。
【００１４】
最外のマチ８の外側面と表板２の内側面とは、連結部材１０で連結されている。当該連結部材１０の一端は、最外のマチ８の外側面における折り曲げ部３から離れた比較的高い位置に止着されており、また他端は表板２の内側面における折り曲げ部３に近い比較的低い位置に止着されている。
【００１５】
また表板２における折り曲げ部３の内側には、押し上げ部材１１が設けられている。押し上げ部材１１は、折り曲げ部３の内側に沿って配置され、少なくともその一部は折り曲げ部３の内側面から若干の間隔をおいて形成されている。そしてその押し上げ部材１１の両端部は表板２の内側面に止着されている。
【００１６】
図３の例においては、表板２の両側部にそれぞれ押し上げ部材１１が設けられ、その押し上げ部材１１における表板２の中央に近い端部が折り曲げ部３から若干離れており、表板２の端部においては折り曲げ部３の内側面に止着されている。なおこの押し上げ部材１１は、表板２の中央部に一つだけ設け、その全体が折り曲げ部３の内側面から離れたものとすることもできる。
【００１７】
本発明のカードケース１の素材は、一般に財布などに使用される皮革、合成皮革、軟質合成樹脂、紙、布など、比較的柔軟な素材を使用することができるが、表板２や連結部材１０、隔壁７はその中でも比較的剛直な材料を使用するのが好ましい。これらの部分については金属板などを使用することもできる。またのマチ８及び押し上げ部材１１については、その性質上十分に柔軟なものであることが好ましい。
【００１８】
また折り曲げ部３については、材料の可撓性により折り畳み可能とすることが好ましいが、表板２が金属板などの剛直な材料を使用する場合には、前述のようにヒンジ機構により開閉可能とすることが好ましい。
【００１９】
而してこのカードケース１において、表板２を折り畳み、蓋部４を被せてホック５で止めた状態においては、図１に示すようにカード収容部６は連結部材１０によって上方に押し上げられ、また押し上げ部材１１は下動して折り曲げ部３に接近しているので、カード９はカード収容部６の隔壁７の間に深く収容され、蓋部４を開いても直ちにカード９が脱落することはない。
【００２０】
ここで蓋部４を開き、図２に示すように表板２を折り曲げ部３を支点として大きく開くと、連結部材１０を介してカード収容部６が両方に引っ張られてカード収容部６が伸張し、隔壁７の間隔が開くと共に、連結部材１０が垂直に近い状態から水平に近い状態に回動するので、カード収容部６はより低い位置に引き下げられる。
【００２１】
一方押し上げ部材１１は、折り曲げ部３の内側に若干の間隔をおいて設けられているので、当該押し上げ部材１１の長さは折り曲げ部３の内側長より短い。そのため表板２を開くと、押し上げ部材１１は折り曲げ部３との間隔が開いて上動し、図２に示すように表板２の下部の間に展張された状態となる。
【００２２】
従って表板２を開くことにより、カード収容部６が下動すると共に押し上げ部材１１が上動することとなり、カード収容部６の隔壁７間に収容されていたカード９は押し上げ部材１１に押し上げられて、カード収容部６に対して大きく上動し、当該カード９の上部は隔壁７の上端から大きく突出する。
【００２３】
従って隔壁７から突出したカード９の上部からカード９の種類を容易に読み取り、必要なカード９を選ぶことができると共に、カード９が突出し且つ隔壁７が開いているので、選んだカード９を容易に取り出すことができる。
【００２４】
また表板２を閉じると、連結部材１０によりカード収容部６は上動すると共に押し上げ部材１１は下動し、カード９は隔壁７間でことさらに挟圧されることがないので、その自重により隔壁７間に落ち込んで深く収容され、蓋部４を被せてホック５を止めることにより図１の状態に戻る。
【００２５】
従って本発明によれば、カード９は隔壁７間に深く収容されて容易に脱落することがないと共に、表板２を開くことによりカード９の上部が隔壁７の上端から大きく突出し、カード９の選別及び取り出しが容易である。
【産業上の利用可能性】
【００２６】
本発明のカードケースは、それ自体カードを収容するための単独のケースとすることもできるが、例えば財布、束入れ、小銭入れ、名刺入れ、定期券入れ、ポーチ、ハンドバッグなどの他の収容具と組み合わせて一体のものとし、またはそれらの収容具の一部とすることも可能である。
【図面の簡単な説明】
【００２７】
【図１】本発明のカードケースを畳んだ状態の横断面図
【図２】本発明のカードケースを開いた状態の横断面図
【図３】図１におけるIII−III断面図
【符号の説明】
【００２８】
１  カードケース
２  表板
３  折り曲げ部
６  カード収容部
７  隔壁
８  マチ
９  カード
１０  連結部材
１１  押し上げ部材
【図１】
2009118866.tif 000003
【図２】
2009118866.tif 000004
【図３】
2009118866.tif 000005